(57)【特許請求の範囲】
【請求項１】
外気を冷却可能な蓄冷部を備えた複数の棒状アームと、
前記複数の棒状アームの各一端を支持して、前記複数の棒状アームを放射状に配する基部と、
取付部と、を有し、
前記取付部により前記蓄冷部が送風装置からの風を受ける位置に前記送風装置に対して着脱可能に取り付けられ、
前記基部は、前記複数の棒状アームが放射状に広げて配される状態と、前記複数の棒状アームが前記基部の中心軸線の一方向に沿うように折りたたんで配される状態とに回動可能に前記複数の棒状アームの各一端を支持することを特徴とする送風冷却装置。
【請求項２】
外気を冷却可能な蓄冷部を備えた複数の棒状アームと、
前記複数の棒状アームの各一端を支持して、前記複数の棒状アームを放射状に配する基部と、
取付部と、を有し、
前記取付部により前記蓄冷部が送風装置からの風を受ける位置に前記送風装置に対して着脱可能に取り付けられ、
前記複数の棒状アームのそれぞれの前記長手方向に垂直な断面形状は、前記棒状アームの前記風から受ける抵抗が風を受ける方向に応じて異なる所定の形状をなしており、
前記基部は、前記複数の棒状アームの各一端を前記長手方向を軸として回転可能に支持することを特徴とする送風冷却装置。
【請求項３】
前記複数の棒状アームのそれぞれの前記長手方向に垂直な断面形状は、前記棒状アームの前記風から受ける抵抗が風を受ける方向に応じて異なる所定の形状をなしており、
前記基部は、前記複数の棒状アームの各一端を前記長手方向を軸として回転可能に支持することを特徴とする請求項１に記載の送風冷却装置。
【請求項４】
前記複数の棒状アームは、前記長手方向に伸縮可能な伸縮機構を備えることを特徴とする請求項１乃至請求項３のいずれか１項に記載の送風冷却装置。
【請求項５】
外気を冷却可能な蓄冷部を備えた複数の棒状アームと、
前記複数の棒状アームの各一端を支持して、前記複数の棒状アームを放射状に配する基部と、
取付部と、を有し、
前記取付部により前記蓄冷部が送風装置からの風を受ける位置に前記送風装置に対して着脱可能に取り付けられ、
前記複数の棒状アームは、前記長手方向に伸縮可能な伸縮機構を備えることを特徴とする送風冷却装置。
【請求項６】
前記複数の棒状アームは、前記送風装置からの風を受ける面に前記風を通す風通し部が設けられることを特徴とする請求項１乃至請求項５に記載の送風冷却装置。
【請求項７】
前記冷媒は、相変換物質であることを特徴とする請求項１乃至請求項６のいずれか１項に記載の送風冷却装置。
【発明の詳細な説明】
【技術分野】
【０００１】
本発明は、送風冷却装置に関する。
【背景技術】
【０００２】
従来、夏場において、ユーザが居住空間での暑さを凌ぐため、例えば、いわゆるクーラーなどの冷房装置を用いて居住空間の室温を下げたり、また、扇風機などの送風装置を用いてユーザの体感温度を下げたりしてきた。
【０００３】
昨今では、節電などの要因から冷房装置の使用を控え、扇風機などの送風装置の使用が見直されている。
【０００４】
しかし、扇風機は、ファン（羽根）を回転させて空気を前方に送風するものであり、その風は周囲の気温とほぼ同じであるため、ユーザが居住空間での暑さを十分に凌ぐことはできないという問題点がある。特に、扇風機を連続使用すると、ファンを回転させるモータが発熱し、このモータにより暖められた空気が送風されることになり、かえってユーザに不快感を与えてしまうこともあった。
【０００５】
そのため、例えば、特許文献１には、扇風機の前面に、水を入れて凍らせた飲料用ボトルなどを配置させて、飲料用ボトルにより冷却された空気を前面に送風する方法が開示されている。
【０００６】
また、特許文献２には、吸水性ポリマーを含む網目状の蓄冷材を扇風機の羽根カバーを覆うように扇風機に取り付けることで、この蓄冷材により冷却された空気を前面に送風する方法が開示されている。
【先行技術文献】
【特許文献】
【０００７】
【特許文献１】特開２００６−７０８１２号公報
【特許文献２】特開２００３−３０１７９１号公報
【発明の概要】
【発明が解決しようとする課題】
【０００８】
しかしながら、特許文献１に記載の技術では、飲料用ボトルが配される箇所において、扇風機からの風が飲料用ボトルにより遮られることで前方に十分な風が送り出されず、また、扇風機からの風が飲料用ボトルにより遮られない箇所で、且つ、この飲料用ボトルから離れた箇所では冷却効果が十分でない風が前方に送り出される。その結果、扇風機により送り出される風は、飲料用ボトルにより均等に冷却されず、また、前方に送風される風量も小さくなるので、ユーザの体感温度を下げるにはその冷却効果が不十分であるという問題点があった。
【０００９】
一方、特許文献２に記載の技術では、吸水性ポリマーを含む網目状の蓄冷材を扇風機の羽根カバー全体を覆うことで、扇風機から送り出される風を全体として均等に冷却し得るが、蓄冷材を扇風機に取り付ける際、その作業性に問題点があった。すなわち、ユーザは蓄冷材を引っ張って、その蓄冷材を伸ばしつつ蓄冷材全体が羽根カバーを覆うように蓄冷材を扇風機に取り付ける必要があり、蓄冷材の伸縮性によってはその取り付けに手間と時間もかかることから、その作業性に問題点があった。特に、吸水性ポリマーを含む網目状の蓄冷材を冷凍庫などで冷却する場合、吸水性ポリマーにより吸水した水が凍るなどして蓄冷材が固まってしまい、蓄冷材そのものの伸縮性が失われて蓄冷材を扇風機に更に取り付けづらくなってしまう。
【００１０】
したがって、本発明は上記問題点に鑑み、扇風機などの送風装置から送られる風を十分に冷却可能な構造を有し、且つ、送風装置に容易に着脱可能な構造を有した送風冷却装置を提供することを目的とする。
【課題を解決するための手段】
【００１１】
本発明による送風冷却装置は、外気を冷却可能な蓄冷部を備えた複数の棒状アームと、
前記複数の棒状アームの各一端を支持して、前記複数の棒状アームを放射状に配する基部と、取付部と、を有し、前記取付部により前記蓄冷部が送風装置からの風を受ける位置に前記送風装置に対して着脱可能に取り付けられ、前記基部は、前記複数の棒状アームが放射状に広げて配される状態と、前記複数の棒状アームが前記基部の中心軸線の一方向に沿うように折りたたんで配される状態とに回動可能に前記複数の棒状アームの各一端を支持する。
【００１２】
かかる構成によれば、基部が複数の棒状アームの各一端を支持することで複数の棒状アームを放射状に配し、これら複数の棒状アームのそれぞれの蓄冷部が送風装置からの風を受ける位置に配されることで、送風装置からの風が全体として均等に冷却されつつ前方に送り出される。その結果、ユーザの体感温度を十分に下げることができる。また同時に、複数の棒状アームのそれぞれの蓄冷部が送風装置からの風を受ける位置に配されるように、送風装置に対して着脱可能に取り付けられる取付部（例えば、後述するが、羽根カバーの中心に掛けて固定するフックなどの基部に設けた固定具）を備えるため、送風装置に対して着脱を簡易にすることができ、その取り付ける手間と時間を最小限に抑えて、取り付ける際の作業性を向上させることができる。
【発明の効果】
【００１３】
以上のように構成された本発明の送風冷却装置によれば、扇風機などの送風装置から送られる風を十分に冷却し、且つ、送風装置に容易に着脱可能で取付ける際の作業性を向上させることができる。
【図面の簡単な説明】
【００１４】
【図１】本実施形態の送風冷却装置を扇風機に取り付けた際の（ａ）正面図と（ｂ）側面図を示す。
【図２】本実施形態の送風冷却装置の概略的な（ａ）展開図と（ｂ）折畳図を示す。
【図３】本実施形態の送風冷却装置の変形例１を説明するための概略図を示す。
【図４】（ａ）は、図３（ａ）に示すＩ−Ｉ’の断面図を示し、（ｂ）は、図３（ｂ）に示すＩＩ−ＩＩ’の断面図を示す図である。
【図５】本実施形態の送風冷却装置における棒状アームの変形例２を示し、（ａ）は概略図を示し、（ｂ）は、（ａ）のＩＩＩ−ＩＩＩ’の断面図を示す。
【図６】本実施形態の送風冷却装置における棒状アームの変形例３を示す。
【図７】本実施形態の送風冷却装置における棒状アームの変形例４を示す。
【発明を実施するための形態】
【００１５】
以下、本発明を実施するための好適な実施形態を、図面を参照しながら説明する。なお、下記実施形態及びその変形例では、送風装置として扇風機を一例にとって説明する。
【００１６】
＜本実施形態＞
図１は、扇風機１０に本実施形態の送風冷却装置２０が取り付けられた送風冷却システム１を示し、図２は、本実施形態の送風冷却装置２０の概略的な構成図を示す。
【００１７】
扇風機１０は、内蔵されたモータによりファン（羽根）を回転させて空気を前方に送風する送風装置である。扇風機１０は、通常、ファンの回転からユーザを保護するため、羽根カバー１１を備える。なお、扇風機１０の構造及び機能は、公知の扇風機と同様とすることができるので、ここでの詳細な説明は省略する。また、扇風機１０の電源として、一般の商用電源のみならず、リチウム二次電池などの蓄電池を用いることもできる。
【００１８】
送風冷却装置２０は、複数の棒状アーム２１と、基部２２と、取付部２３とを備える。
【００１９】
棒状アーム２１は、図２に示すように、例えば、円筒状の一端部２１ａと円筒状の他端部２１ｂとが外気を冷却可能な円筒状の蓄冷部２１１をその長手方向から挟んでなるアームであって、その一端部２１ａは基部２２に支持されている。複数の棒状アーム２１は、基部２２を中心としてそれぞれ放射状に配され、例えば、図２（ａ）に示すように、８個用いられることができる。なお、棒状アーム２１の数は、８個に限られず、扇風機１０の大きさや形状、求める冷却効果など種々の要因に応じて適宜変更してもよい。
【００２０】
蓄冷部２１１は、冷媒を収容した冷却体であり、ここでは、円筒状の容器内（例えば、プラスチック製の容器内）に冷媒として水を収容して密閉したものである。蓄冷部２１１は、例えば、冷凍庫などの冷却手段で十分冷却されることで、その容器内に収容された水が凍り、冷凍庫から取り出した際、蓄冷部２１１の周囲の空気を冷却することが可能となる。なお、本実施形態の送風冷却装置２０において、冷媒として水を用いる場合に限られず、周囲の空気を冷却することが可能な物質であればよく、例えば、相変換物質（ＰＣＭ：Ｐｈａｓｅ  Ｃｈａｎｇｅ  Ｍａｔｅｒｉａｌ）など種々の物質を冷媒として用いることができる。相変換物質は、例えば、冷凍庫や冷蔵庫などで十分冷却することで、その冷却効果が水に比べて長時間持続できるというメリットもある。
【００２１】
また、端部（一端部２１ａ及び他端部２１ｂ）は、ここでは、蓄冷部２１１とは別のパーツ（例えば、内部に冷媒を有さないプラスチック製のパーツ）であり、これらを蓄冷部２１１の長手方向の両端に一体的に取り付けることで、蓄冷部２１１が十分冷却された場合であっても、端部の温度は蓄冷部２１１に比べて高くなり得るため、ユーザはこの端部を持つことで送風冷却装置２０そのものを扱いやすくなる。すなわち、上述の特許文献２では、冷却された蓄冷材をユーザが直接手に触れて扇風機の羽根カバーに被らせる必要があったが、本実施形態の送風冷却装置２０によれば、冷却された蓄冷部２１１を直接手に触れずに、基部２２や棒状アーム２１の端部を手に取って、扇風機１０の羽根カバー１１に取り付けることができる。そのため、ユーザが送風冷却装置２０を扇風機１０に取り付ける際の作業性を向上させことができる。なお、棒状アーム２１は、蓄冷部２１１とは別のパーツとして、端部（一端部２１ａ及び他端部２１ｂ）を用いる場合に限られず、これら端部を省略してもよい。この場合、蓄冷部２１１の一端が基部２２に直接支持されるようにする。
【００２２】
基部２２は、複数の棒状アーム２１の各一端を支持して、複数の棒状アーム２１を放射状に配して固定するためのものであり、例えば、プラスチックなど一定以上の強度を有する材料で作成される。基部２２は、図２（ａ）に示すように、複数の棒状アーム２１が放射状に広げて配される状態と、図２（ｂ）に示すように、複数の棒状アーム２１が基部２２の中心軸線の一方向に沿うように折り畳んで配される状態とに回動可能に複数の棒状アーム２１の各一端部２１ａを支持する。なお、基部２２の一部に冷媒を収容した蓄冷部を更に設けてもよい。
【００２３】
取付部２３は、複数の棒状アーム２１のそれぞれの蓄冷部２１１が扇風機１０からの風を受ける位置に配されるように、送風冷却装置２０を扇風機１０に対して着脱可能に取り付けるための固定具である。取付部２３は、例えば、基部２２の上部側に設けられたフックであり、基部２２を基点として重力に反する方向側に向かって延びるように配置されている。このフックを扇風機１０の羽根カバー１１の中央部に引っ掛けることで、送風冷却装置２０を扇風機１０に簡易に取り付けることができる。なお、取付部２３は、基部２２の上部側にのみ設けられる場合に限られず、例えば、左右側や下部側など必要に応じて適宜その数及び形状を変更して設けることができる。
また、取付部２３は、フックのみに限られず、例えば、基部２２の裏側（扇風機からの風を受ける側）に吸盤を設けてもよい。この吸盤があることで、扇風機１０の羽根カバーの前面の中央付近に吸盤が吸着可能な表面部があれば、フックと吸盤とで送風冷却装置２０を扇風機１０に対して安定して装着することができる。
さらに、取付部２３は、フックの代替として、種々の固定具を用いることができ、例えば、クリップを用いることができる。クリップを用いる場合、クリップを基部２２の上部側に設けて、このクリップにより羽根カバーの一部を挟持するようにして送風冷却装置２０を扇風機１０に固定することができる。
【００２４】
以上のように構成される送風冷却装置２０の使用例を簡単に説明すると、まず、送風冷却装置２０の使用前に、ユーザは送風冷却装置２０を、図２（ｂ）に示すように、複数の棒状アーム２１が基部２２の中心軸線の一方向に沿うように折り畳んで配された状態で、冷凍庫内に入れる。次いで、各棒状アーム２１の蓄冷部２１１が十分冷却された後、ユーザは冷凍庫内から送風冷却装置２０を取り出して、送風冷却装置２０を、図２（ａ）に示すように、複数の棒状アーム２１が放射状に広げて配される状態になるよう、複数の棒状アーム２１の各一端部２１ａを回動させる。そして、ユーザは、送風冷却装置２０を取付部２３により扇風機１０に取り付けて、扇風機１０を動作させる。その結果、送風冷却装置２０で冷却された空気が扇風機１０により前方に送風され、ユーザはその風を受けることによって体感温度が下がり、暑さを凌ぐことができる。
【００２５】
上述した本実施形態の送風冷却装置２０によれば、基部２２が複数の棒状アーム２１を放射状に支持し、これら複数の棒状アーム２１のそれぞれの蓄冷部２１１が扇風機１０からの風を受ける位置に配されることで、上記特許文献１に記載の技術と異なり、扇風機１０からの風が全体として均等に冷却されつつ前方に送り出される。その結果、ユーザの体感温度を十分に下げることができる。また同時に、複数の棒状アーム２１のそれぞれの蓄冷部２１１が扇風機１０からの風を受ける位置に配されるように、扇風機１０に対して着脱可能に取り付けられる取付部２３を備えることで、上記特許文献２に記載の技術と異なり、扇風機１０に対して送風冷却装置２０の取り付けを簡易にすることができ、その取り付けにかかる手間と時間を最小限に抑えることができる。
【００２６】
また、本実施形態の送風冷却装置２０は、複数の棒状アーム２１が放射状に広げて配される状態と、複数の棒状アーム２１が基部２２の中心軸線の一方向に沿うように折り畳んで配される状態とに変形することができるため、扇風機１０から取り外した際に複数の棒状アームを折り畳むことで、冷凍庫内に収容する場合など送風冷却装置２０自体の収容性を向上させることができる。
【００２７】
＜本実施形態の変形例１＞
上記の本実施形態では、棒状アーム２１の蓄冷部２１１として冷媒が収容される円筒状の容器を例にとって説明したが、この棒状アーム２１の長手方向に垂直な断面形状は、棒状アーム２１の風から受ける抵抗を調節により風を受ける方向に対して変化可能な所定の形状としてもよい。この場合、基部２２は、複数の棒状アーム２１の各一端を、棒状アーム２１の長手方向を軸として回転可能に支持する回転部２２１を複数の棒状アーム２１ごとに備える。この構成により、図３及び図４に示すように、上記断面形状を楕円形とし、棒状アーム２１が取り付けられた回転部２２１をユーザが手動で回転させることで、棒状アーム２１の風から受ける抵抗を変化させることができる。なお、図３及び図４では、１つの棒状アーム２１のみを図示して説明している。また、変形例１の棒状アーム２１及び基部２２の回転部２２１以外の構成は、上述の本実施形態の送風冷却装置２０と同様とすることができる。
【００２８】
具体的には、図３（ａ）に示すように、棒状アーム２１の上記断面形状である楕円形の長径を風の進行方向に対して平行にすることで、棒状アーム２１の風から受ける抵抗を小さくすることができる（例えば、図４（ａ）参照）。当該抵抗を小さくすることで、扇風機１０から前方に送風される風量が大きくなる。
一方、図３（ｂ）に示すように、棒状アーム２１の垂直断面形状である楕円形の短径を風の進行方向に対して平行にすることで、棒状アーム２１の風から受ける抵抗を大きくすることができる（例えば、図４（ｂ）参照）。当該抵抗を大きくすることで、扇風機１０から前方に送風される風力が小さくなる。
【００２９】
このように棒状アーム２１の形状及び基部２２において回転部２２１を設けることで、ユーザは所望の風量や風の冷却効果を調整することができる。また、扇風機１０の風速を上げた場合、棒状アーム２１の風から受ける抵抗が増すことにより、送風冷却装置２０自体が振動したり、また、送風冷却装置２０が扇風機１０から脱落したりすることを防ぐ観点からも、棒状アーム２１の風から受ける抵抗を調整できる上記構成を設けることは有用である。なお、棒状アーム２１の上記断面形状は、楕円形に限られず、例えば、矩形、菱形など種々の形状にしてもよい。
【００３０】
＜本実施形態の変形例２＞
上記の本実施形態では、棒状アーム２１は、一端部２１ａと他端部２１ｂとの間に冷媒が収容された筒状の容器である蓄冷部２１１が配置される場合を例にとって説明したが、棒状アーム２１は、その長手方向に蓄冷部２１１が設けられれば、棒状アーム２１自体の構造を適宜変更してもよい。例えば、図５に示すように、棒状アーム２１自体の強度を向上させるなどの目的で一端部２１ａと他端部２１ｂとをＦＲＰなどの板状の補強材２１ｃで連結してもよい。なお、変形例２の棒状アーム２１以外の構成は、上述の本実施形態の送風冷却装置２０と同様とすることができる。
【００３１】
補強材２１ｃを設ける場合、例えば、冷媒を収容するものとして定形の容器を用いずに、柔らかい袋状の容器を用いることができる。袋状の容器を用いる場合、図５（ｂ）に棒状アーム２１の断面形状の一例を示すように、補強材２１ｃが板状の部位と棒状の部位とで一体化したものであれば、棒状の部位を覆うように袋状の容器を補強材２１ｃに取り付けることで、袋状の容器の形状の変形を一定範囲内にとどめることができる。
【００３２】
＜本実施形態の変形例３＞
また、各棒状アーム２１は、扇風機１０からの風を受ける面に風を通す風通し部２１ｄを設けてもよい。風通し部２１ｄは、棒状アーム２１を扇風機１０からの風の進行方向（又は略進行方向）に貫通する貫通孔である。風通し部２１ｄを設ける場合、棒状アーム２１の形状を板状とすることで、その蓄冷部２１１の製作し易い。例えば、図６（ａ）に示すように、棒状アーム２１の蓄冷部２１１に複数の一定の大きさの風通し部２１ｄを一定の間隔で設けることができる。この場合、棒状アーム２１の風から受ける抵抗を減らすことができ、送風冷却装置２０の振動並びに扇風機１０からの落下を防ぐことができる。なお、変形例３の棒状アーム２１以外の構成は、上述の本実施形態の送風冷却装置２０と同様とすることができる。
【００３３】
ここで、風通し部２１ｄは、一定の大きさのものを複数設ける場合に限られず、適宜大きさが異なるものを複数設けてもよい。例えば、図６（ｂ）に示すように、基部２２側に向かって風通し部２１ｄの大きさが順次小さくなるように設けることで、基部２２から離れた位置では棒状アーム２１の風から受ける抵抗をより減らすことができるため、テコの原理により基部２２にかかる力を減らし、送風冷却装置２０の振動並びに扇風機１０からの落下をより効果的に防ぐことができる。
【００３４】
また、風通し部２１ｄは、一定の間隔のものを複数設ける場合に限られず、適宜間隔を調整して複数設けてもよい。例えば、図６（ｃ）に示すように、基部２２側に向かって風通し部２１ｄを設ける間隔を順次広げていくように設けることで、基部２２から離れた位置では棒状アーム２１の風から受ける抵抗をより減らすことができるため、テコの原理により基部２２にかかる力を減らし、送風冷却装置２０の振動並びに扇風機１０からの落下をより効果的に防ぐことができる。
【００３５】
＜本実施形態の変形例４＞
上記実施形態の送風冷却装置２０では、一端部２１ａから他端部２１ｂにかけて１つの蓄冷部２１１を備える場合を説明したが、各棒状アーム２１に設けられる蓄冷部２１１は複数であってもよい。この場合、棒状アーム２１は、棒状アーム２１の長手方向に伸縮可能な伸縮機構２１ｅを備えることができる。例えば、図７に示すように、棒状アーム２１として、３つの蓄冷部２１１ａ〜２１１ｃを備え、且つ、伸縮機構２１ｅを備えることができる。伸縮機構２１ｅは、例えば、図７（ｂ）に示すように、２段階に長手方向にスライド可能なスライド機構である。なお、変形例２の棒状アーム２１以外の構成は、上述の本実施形態の送風冷却装置２０と同様とすることができる。
【００３６】
このように棒状アーム２１において複数の蓄冷部２１１及び伸縮機構２１ｅを設けることで、扇風機１０の大小に応じて送風冷却装置２０を取り付けることができるなどのメリットを要する。
【００３７】
以上のように本発明の好適な実施形態及びその変形例について説明したが、本発明は、これら実施形態及びその変形例に限定されるべきものではなく、特許請求の範囲に表現された思想および範囲を逸脱することなく、種々の変形、追加、及び省略が当業者によって可能である。
【００３８】
例えば、上記送風冷却装置では、取付部２３を基部２２に取り付ける場合を例にとって説明したが、本発明はこれに限られず、例えば、棒状アーム２１の他端部２１ｂに設けるようにしてもよい。この構成によれば、棒状アーム２１の長手方向の形状が扇風機１０の羽根カバー１１の中心から外縁方向に沿って湾曲した形状である場合、取付部２３として他端部２１ｂにフックなどの固定具を用いて、羽根カバー１１の外縁に引っ掛けて固定しやすいので有用である。
【００３９】
また、上記本実施形態の送風冷却装置は、基部２２が、複数の棒状アーム２１が放射状に広げて配される状態と、複数の棒状アーム２１が基部２２の中心軸線の一方向に沿うように折りたたんで配される状態とに回動可能に複数の棒状アームの各一端を支持する場合を例にとって説明したが、本発明はこれに限られず、基部２２が上記回動せず、複数の棒状アーム２１を放射状に配するようにのみ複数の棒状アーム２１の各一端を支持するものであってもよい。なお、この場合、各棒状アーム２１を基部２２から取り外し可能とすることで、基部２２から取り外した各棒状アーム２１を冷凍庫などにスペースを考慮して収納することができる。
【００４０】
さらに、上記本実施形態の送風冷却装置では、棒状アーム２１は、基部２２で支持される一端からその他端まで一定の断面積を有するような形状を説明したが、本発明はこれに限られず、棒状アーム２１の形状を基部２２で支持される一端からその他端までその断面積が増大又は縮小するような形状としてもよい。
【００４１】
さらに、上記本実施形態の送風冷却装置は、送風装置として扇風機に取り付ける場合を例にとって説明したが、本発明はこれに限られず、例えば、送風装置として建物内などの空調で用いられるダクトに適用することもでき、ダクト内から気体の出口等に取り付けることもできる。なお、この場合、必要に応じて、棒状アーム２１の他端部２１ｂに取付部２３を設けて、送風冷却装置を取付部２３によりダクト内の側壁に取り付ける。
【符号の説明】
【００４２】
１…送風冷却システム、１０…扇風機（送風装置）、２０…送風冷却装置、２１…棒状アーム、２２…基部、２３…取付部。
【図１】
0005502035.tif 000002
【図２】
0005502035.tif 000003
【図３】
0005502035.tif 000004
【図４】
0005502035.tif 000005
【図５】
0005502035.tif 000006
【図６】
0005502035.tif 000007
【図７】
0005502035.tif 000008